(57)【要約】【課題】駐車券を必要とせず、且つ、駐車場を利用した時の駐車料金の支払い処理を低減する駐車場管理システムを提供する。【解決手段】駐車場管理システムは、車両が車両出口から出場する時には、駐車場管理サーバ２０は、駐車場の利用者ＩＤに基づいて在車ＤＢ３２を検索し、入場時刻及び出場時刻に基づいて駐車時間を求め、求められた駐車時間に基づいて、料金ＤＢ３３を参照して駐車料金を求め、求められた駐車料金をネットワークを介して携帯端末１０へ送信し、携帯端末１０が駐車料金を決済する時には、携帯端末１０は、ネットワークを介して外部の決済サーバ２１と通信し、駐車料金の決済を実行した後、出場ゲート４７を開ける要求を出場機４６へ送信する。【選択図】図１
2014137804.tif 000002
【特許請求の範囲】
【請求項１】
駐車場管理システムであって、
車両入口に配置され、開閉することにより駐車場への車両の入場を許可する入場ゲートと、
前記入場ゲートの開閉を制御し、駐車場の利用者が有する携帯端末と通信可能な入場機と、
車両出口に配置され、開閉することにより駐車場からの車両の出場を許可する出場ゲートと、
前記出場ゲートの開閉を制御し、前記携帯端末と通信可能な出場機と、
前記携帯端末と、ネットワークを介して通信可能な駐車場管理サーバと、
駐車場の利用者を識別する利用者ＩＤが記録された利用者データベースと、
車両の駐車場への入場時刻が、利用者ＩＤと関連付けられて記録される在車データベースと、
入場時刻及び駐車時間と駐車料金との関係が記録される料金データベースと、
を備え、
車両が車両入口に入場する時には、
前記入場機は、前記入場機を識別する入場機ＩＤを、前記携帯端末へ送信し、
前記携帯端末は、入場機ＩＤを受信した後、入場時刻と、利用者ＩＤを、ネットワークを介して前記駐車場管理サーバへ送信すると共に、前記入場ゲートを開ける要求を前記入場機へ送信し、
前記駐車場管理サーバは、受信した入場時刻を、受信した利用者ＩＤと関連づけて前記在車データベースに記録し、
車両が車両出口から出場する時には、
前記出場機は、前記出場機を識別する出場機ＩＤを、前記携帯端末へ送信し、
前記携帯端末は、出場機ＩＤを受信した後、出場時刻と、利用者ＩＤを、ネットワークを介して前記駐車場管理サーバへ送信し、
前記駐車場管理サーバは、受信した利用者ＩＤに基づいて前記在車データベースを検索し、利用者ＩＤと関連づけられて記録された入場時刻を読み取り、読み取られた入場時刻と、該入場時刻及び受信した出場時刻に基づいて求められた駐車時間とに基づいて、前記料金データベースを参照して駐車料金を求め、求められた駐車料金を、ネットワークを介して前記携帯端末へ送信し、
前記携帯端末が駐車料金を決済する時には、
前記携帯端末は、所定の決済手段を用いて、受信した駐車料金の決済を実行した後、出場ゲートを開ける要求を前記出場機へ送信する、駐車場管理システム。
【請求項２】
車両入口に配置され、前記入場ゲートから入場する車両の車両番号を認識する入場車両番号認識装置と、
車両出口に配置され、前記出場ゲートから出場する車両の車両番号を認識する出場車両番号認識装置と、
を備え、
車両が車両入口に入場する時には、
前記入場車両番号認識装置は、前記入場ゲートから入場する車両の車両番号を認識し、認識された車両番号を入場車両番号として、前記携帯端末へ送信し、
前記携帯端末は、受信した入場車両番号を、利用者ＩＤと共に、ネットワークを介して前記駐車場管理サーバへ送信し、
前記駐車場管理サーバは、受信した車両番号を、受信した利用者ＩＤと関連づけて前記在車データベースに記録し、
車両が車両出口から出場する時には、
前記出場車両番号認識装置は、前記出場ゲートから出場する車両の車両番号を認識し、認識された車両番号を出場車両番号として、前記携帯端末へ送信し、
前記携帯端末は、受信した出場車両番号を、利用者ＩＤと共に、ネットワークを介して前記駐車場管理サーバへ送信し、
前記駐車場管理サーバは、受信した利用者ＩＤに基づいて前記在車データベースを検索し、利用者ＩＤと関連づけられて記録された入場車両番号を読み取り、読み取られた入場車両番号が、受信した出場車両番号と一致しているかを調べ、入場車両番号と出場車両番号とが一致していない場合には、不正出場であると判断する請求項１に記載の駐車場管理システム。
【請求項３】
前記駐車場管理サーバは、不正出場であると判断した場合、駐車料金を、ネットワークを介して前記携帯端末へ送信することを行わない請求項２に記載の駐車場管理システム。
【請求項４】
駐車場の周辺の店舗には、前記携帯端末と通信可能な割引認証機が配置されており、前記割引認証機は、駐車場の利用者が店舗で支払った支払い金額と、店舗を識別する店舗ＩＤを、前記携帯端末に送信し、
前記携帯端末は、支払い金額と、店舗ＩＤと、利用者ＩＤを、ネットワークを介して前記駐車場管理サーバへ送信し、
前記駐車場管理サーバは、受信した支払い金額と、店舗ＩＤを、利用者ＩＤと関連付けて、支払い金額と店舗ＩＤとが利用者ＩＤと関連付けられて記録される店舗支払いデータベースに記録し、
車両が車両出口から出場する時には、
前記駐車場管理サーバは、利用者ＩＤに基づいて前記店舗支払いデータベースを検索し、利用者ＩＤと関連づけられて記録された店舗ＩＤ及び支払い金額を求め、求められた店舗ＩＤ及び支払い金額に基づいて、店舗ＩＤによって識別される店舗ごとに定められた支払金額と割引金額との関係が記録された割引データベースを検索して割引金額を求め、割引金額又は割引金額が減額された駐車料金を、ネットワークを介して前記携帯端末へ送信する請求項１〜３の何れか一項に記載の駐車場管理システム。
【請求項５】
前記割引認証機は、駐車場の利用者が店舗で支払い金額を支払った支払い時刻を、支払い金額及び店舗ＩＤと共に、前記携帯端末に送信し、
前記携帯端末は、支払い時刻を、支払い金額及び店舗ＩＤ及び利用者ＩＤと共に、ネットワークを介して前記駐車場管理サーバへ送信し、
前記駐車場管理サーバは、受信した支払い時刻を、支払い金額及び店舗ＩＤと共に、利用者ＩＤと関連付けて、前記店舗支払いデータベースに記録し、
車両が車両出口から出場する時には、
前記駐車場管理サーバは、支払い時刻が、入場時刻と出場時刻との間ではない場合には、駐車料金から割引金額を減額しない請求項４に記載の駐車場管理システム。
【請求項６】
駐車場の地図データを記録する地図データベースと、
駐車場内に配置されており、配置された位置情報を前記携帯端末へ送信する位置情報送信機と、
を備え、
前記携帯端末は、受信した位置情報を駐車位置情報として、利用者ＩＤと共に、ネットワークを介して前記駐車場管理サーバへ送信し、
前記駐車場管理サーバは、受信した駐車位置情報を、利用者ＩＤと関連付けて、前記在車データベースに記録し、
前記携帯端末が、駐車場の地図の要求と、利用者ＩＤを、ネットワークを介して前記駐車場管理サーバへ送信した時には、
前記駐車場管理サーバは、受信した利用者ＩＤに基づいて、前記在車データベースを検索し、利用者ＩＤと関連づけられて記録された駐車位置情報を読み取り、読み取られた駐車位置情報に基づいた駐車場内の地点が表示された地図を、前記地図データベースを用いて生成し、生成された地図を、ネットワークを介して前記携帯端末へ送信する請求項１〜５の何れか一項に記載の駐車場管理システム。
【請求項７】
前記携帯端末が、駐車場の地図の要求と、利用者ＩＤと共に、前記携帯端末の位置を示す端末位置情報を、ネットワークを介して前記駐車場管理サーバへ送信した時には、
前記駐車場管理サーバは、受信した利用者ＩＤに基づいて前記在車データベースを検索し、利用者ＩＤと関連づけられて記録された駐車位置情報を読み取り、読み取られた駐車位置情報と受信した端末位置情報とに基づいて、駐車位置情報に基づいた駐車場内の地点と前記携帯端末の位置が共に表示された地図を、前記地図データベースを用いて生成し、生成された地図を、ネットワークを介して前記携帯端末へ送信する請求項６に記載の駐車場管理システム。
【請求項８】
駐車場の利用者によって予約された車室を識別する車室ＩＤが、利用者ＩＤと関連付けられて記録された予約データベースと、
車室に配置されて車室への車両の進入を規制し、前記携帯端末と通信可能な進入規制手段と、
を備え、
前記料金データベースには、車室の予約が利用された場合に駐車料金に加算される予約料金が記録されており、
車両が予約された車室へ進入する時には、
前記携帯端末は、車室への進入が可能な状態へ移行させる要求を、予約された車室ＩＤで識別される車室の前記進入規制手段へ送信すると共に、予約された車室ＩＤで識別される車室への駐車を開始した駐車開始時刻と、利用者ＩＤを、ネットワークを介して前記駐車場管理サーバへ送信し、
前記駐車場管理サーバは、受信した駐車開始時刻を、利用者ＩＤと関連づけて前記予約データベースに記録し、
車両が車両出口から出場する時には、
前記駐車場管理サーバは、受信した利用者ＩＤに基づいて前記予約データベースを検索し、利用者ＩＤと関連づけられて記録された駐車開始時刻が記録されている場合には、前記料金データベースを参照して予約料金を求め、求められた予約料金が加算された駐車料金を、ネットワークを介して前記携帯端末へ送信する請求項１〜５の何れか一項に記載の駐車場管理システム。
【請求項９】
車両が予約された車室から退出する時には、
前記携帯端末は、車室への進入を阻止する状態へ移行させる要求を、予約されていた車室ＩＤで識別される車室の前記進入規制手段へ送信すると共に、予約されていた車室ＩＤで識別される車室への駐車を終了した駐車終了時刻と、利用者ＩＤを、ネットワークを介して前記駐車場管理サーバへ送信し、
前記駐車場管理サーバは、受信した駐車終了時刻を、利用者ＩＤと関連づけて前記約データベースに記録する請求項８に記載の駐車場管理システム。
【請求項１０】
駐車場の地図データを記録する地図データベースを備え、
車両が車両入口に入場する時には、
入場時刻及び利用者ＩＤを受信した前記駐車場管理サーバは、前記予約データベースを検索して、利用者ＩＤが前記予約データベースに記録されている場合には、駐車場の車両入口と予約された車室の位置が表示された地図を、前記地図データベースを用いて生成し、生成された地図を、ネットワークを介して前記携帯端末へ送信する請求項８又は９に記載の駐車場管理システム。
【請求項１１】
駐車場は、駐車場内に区画され、駐車場の利用を予約した利用者の車両を駐車するための予約領域を有しており、
前記予約領域の車両入口に配置され、開閉することにより前記予約領域への車両の入場を許可する予約領域入場ゲートと、
前記予約領域入場ゲートの開閉を制御し、前記携帯端末と通信可能な予約領域入場機と、
前記予約領域の車両出口に配置され開閉することにより前記予約領域からの車両の出場を許可する予約領域出場ゲートと、
前記予約領域出場ゲートの開閉を制御し、前記携帯端末と通信可能な予約領域出場機と、
駐車場の利用を予約した利用者の利用者ＩＤが記録された予約データベースと、
を備え、
前記料金データベースには、駐車場の予約が利用された場合に駐車料金に加算される予約料金が記録されており、
車両が前記予約領域の車両入口に入場する時には、
前記予約領域入場機は、前記予約領域入場機を識別する予約領域入場機ＩＤを、前記携帯端末へ送信し、
前記携帯端末は、予約領域入場機ＩＤを受信した後、前記予約領域入場ゲートを開ける要求を前記予約領域入場機へ送信すると共に、予約領域への車両の駐車を開始した予約領域駐車開始時刻と、利用者ＩＤを、ネットワークを介して前記駐車場管理サーバへ送信し、
前記駐車場管理サーバは、受信した予約領域駐車開始時刻を、利用者ＩＤと関連づけて前記予約データベースに記録し、
車両が前記予約領域の車両出口から出場する時には、
前記予約領域出場機は、前記予約領域出場機を識別する予約領域出場機ＩＤを、前記携帯端末へ送信し、
前記携帯端末は、予約領域出場機ＩＤを受信した後、予約領域駐車終了時刻と、利用者ＩＤを、ネットワークを介して前記駐車場管理サーバへ送信し、
前記駐車場管理サーバは、受信した予約領域駐車終了時刻を、利用者ＩＤと関連づけて前記予約データベースに記録し、
車両が駐車場の車両出口から出場する時には、
前記駐車場管理サーバは、受信した利用者ＩＤに基づいて前記予約データベースを検索し、利用者ＩＤと関連づけられて記録された予約領域駐車開始時刻が記録されている場合には、前記料金データベースを参照して予約料金を求め、求められた予約料金が加算された駐車料金を、ネットワークを介して前記携帯端末へ送信する請求項１〜５の何れか一項に記載の駐車場管理システム。
【請求項１２】
駐車場の地図データを記録する地図データベースを備え、
車両が車両入口に入場する時には、
入場時刻及び利用者ＩＤを受信した前記駐車場管理サーバは、前記予約データベースを検索して、利用者ＩＤが前記予約データベースに記録されている場合には、駐車場の車両入口と前記予約領域の車両入口の位置が表示された地図を、前記地図データベースを用いて生成し、生成された地図を、ネットワークを介して前記携帯端末へ送信する請求項１１に記載の駐車場管理システム。
【請求項１３】
前記携帯端末が、現在までの駐車料金の要求と、利用者ＩＤを、ネットワークを介して前記駐車場管理サーバへ送信した時には、
前記駐車場管理サーバは、受信した利用者ＩＤに基づいて前記在車データベースを検索し、利用者ＩＤと関連づけられて記録された入場時刻を読み取り、読み取られた入場時刻と、現在の時刻に基づいて求められた駐車時間とに基づいて、前記料金データベースを参照して駐車料金を求め、求められた駐車料金を、ネットワークを介して前記携帯端末へ送信する請求項１〜１２の何れか一項に記載の駐車場管理システム。
【請求項１４】
入場機ＩＤは、駐車場を識別する駐車場識別部と、駐車場内の前記入場機を識別する入場機識別部を有し、出場機ＩＤは、駐車場を識別する駐車場識別部と、駐車場内の前記出場機を識別する出場機識別部を有する請求項１〜１３の何れか一項に記載の駐車場管理システム。
【請求項１５】
前記携帯端末と前記入場機又は前記出場機との間の通信は、近距離無線通信である請求項１〜１４の何れか一項に記載の駐車場管理システム。
【発明の詳細な説明】
【技術分野】
【０００１】
本発明は、駐車場管理システムに関する。
【背景技術】
【０００２】
従来、有料の駐車場が利用されている。有料の駐車場では、駐車時間に応じて駐車料金が請求される。
【０００３】
例えば、車両を運転する駐車場の利用者は、駐車場の車両入口において、入場時刻が記録された駐車券を受け取った後、駐車場内に車両を駐車する。駐車場から出場する時には、駐車場の車両出口において駐車券が料金精算機に入れられると、入場時刻及び出場時刻に基づいて駐車時間が計算されて、この駐車時間に応じた駐車料金が、利用者に請求される。
【０００４】
利用者は、現金又はクレジットカード等により、料金精算機に対して駐車料金を支払った後、駐車場から退出する。
【先行技術文献】
【特許文献】
【０００５】
【特許文献１】特開平６−３６０９７号公報
【発明の概要】
【発明が解決しようとする課題】
【０００６】
このように、駐車券を利用して駐車料金が精算される場合には、駐車券が破損した場合、駐車料金が計算できない場合があった。
【０００７】
そこで、駐車場の利用者が有する多機能携帯電話等に入場時刻を記憶させて、駐車券を不要にすることが提案されている。
【０００８】
しかし、駐車券の代わりに多機能携帯電話等を用いた場合でも、料金精算機において駐車料金を精算して、料金を支払うことが必要であった。
【０００９】
そこで、本明細書では、駐車券を必要とせず、且つ、駐車場を利用した時の駐車料金の支払い処理を低減する駐車場管理システムを提案することを目的とする。
【課題を解決するための手段】
【００１０】
本明細書に開示する駐車場管理システムの一形態によれば、駐車場管理システムであって、車両入口に配置され、開閉することにより駐車場への車両の入場を許可する入場ゲートと、上記入場ゲートの開閉を制御し、駐車場の利用者が有する携帯端末と通信可能な入場機と、車両出口に配置され、開閉することにより駐車場からの車両の出場を許可する出場ゲートと、上記出場ゲートの開閉を制御し、上記携帯端末と通信可能な出場機と、上記携帯端末と、ネットワークを介して通信可能な駐車場管理サーバと、駐車場の利用者を識別する利用者ＩＤが記録された利用者データベースと、車両の駐車場への入場時刻が、利用者ＩＤと関連付けられて記録される在車データベースと、入場時刻及び駐車時間と駐車料金との関係が記録される料金データベースと、を備え、車両が車両入口に入場する時には、上記入場機は、上記入場機を識別する入場機ＩＤを、上記携帯端末へ送信し、上記携帯端末は、入場機ＩＤを受信した後、入場時刻と、利用者ＩＤを、ネットワークを介して上記駐車場管理サーバへ送信すると共に、上記入場ゲートを開ける要求を上記入場機へ送信し、上記駐車場管理サーバは、受信した入場時刻を、受信した利用者ＩＤと関連づけて上記在車データベースに記録し、車両が車両出口から出場する時には、上記出場機は、上記出場機を識別する出場機ＩＤを、上記携帯端末へ送信し、上記携帯端末は、出場機ＩＤを受信した後、出場時刻と、利用者ＩＤを、ネットワークを介して上記駐車場管理サーバへ送信し、上記駐車場管理サーバは、受信した利用者ＩＤに基づいて上記在車データベースを検索し、利用者ＩＤと関連づけられて記録された入場時刻を読み取り、読み取られた入場時刻と、該入場時刻及び受信した出場時刻に基づいて求められた駐車時間とに基づいて、上記料金データベースを参照して駐車料金を求め、求められた駐車料金を、ネットワークを介して上記携帯端末へ送信し、上記携帯端末が駐車料金を決済する時には、上記携帯端末は、所定の決済手段を用いて、受信した駐車料金の決済を実行した後、出場ゲートを開ける要求を上記出場機へ送信する。
【発明の効果】
【００１１】
上述した本明細書に開示する駐車場管理システムの一形態によれば、駐車券を必要とせず、且つ、駐車場を利用した時の駐車料金の支払い処理が低減される。
【図面の簡単な説明】
【００１２】
【図１】本明細書に開示する駐車場管理システムの第１実施形態のシステム構成図（サーバを含む）である。
【図２】本明細書に開示する駐車場管理システムの第１実施形態のシステム構成図（入場機及び出場機を含む）を示す図である。
【図３】利用者表を説明する図である。
【図４】在車表を説明する図である。
【図５】駐車料金表及び予約料金表を説明する図である。
【図６】店舗支払い金額表を説明する図である。
【図７】割引金額表を説明する図である。
【図８】予約表を説明する図である。
【図９】駐車場管理システムの第１実施形態の動作を説明するシーケンス図（その１）である。
【図１０】駐車場管理システムの第１実施形態の動作を説明するシーケンス図（その２）である。
【図１１】駐車場管理システムの第１実施形態の動作を説明するシーケンス図（その３）である。
【図１２】携帯端末の表示部を示す図である。
【図１３】店舗の様子を説明する図である。
【図１４】駐車場管理システムの第２実施形態の動作を説明するシーケンス図（その１）である。
【図１５】駐車場管理システムの第２実施形態の動作を説明するシーケンス図（その２）である。
【図１６】駐車場管理システムの第３実施形態の動作を説明するシーケンス図（その１）である。
【図１７】駐車場管理システムの第３実施形態の動作を説明するシーケンス図（その２）である。
【図１８】携帯端末の表示部に示された地図を示す図である。
【図１９】車室に配置される阻止装置を説明する図である。
【図２０】駐車場管理システムの第４実施形態の動作を説明するシーケンス図（その１）である。
【図２１】駐車場管理システムの第４実施形態の動作を説明するシーケンス図（その２）である。
【図２２】駐車場管理システムの第４実施形態の動作を説明するシーケンス図（その３）である。
【発明を実施するための形態】
【００１３】
以下、本明細書で開示する駐車場管理システムの好ましい第１実施形態を、図を参照して説明する。但し、本発明の技術範囲はそれらの実施形態に限定されず、特許請求の範囲に記載された発明とその均等物に及ぶものである。
【００１４】
本実施形態の駐車場管理システム１（以下、単にシステム１ともいう）は、駐車場の利用者が、駐車料金の支払いを、利用者が有する携帯端末を用いて電子決済により行うので、駐車券の発行が不要となり、また駐車料金の支払い処理が低減される。
【００１５】
図１は、本明細書に開示する駐車場管理システムの第１実施形態のシステム構成図（サーバを含む）である。図２は、本明細書に開示する駐車場管理システムの第１実施形態のシステム構成図（入場機及び出場機を含む）を示す図である。
【００１６】
システム１は、駐車場の利用者２が有する携帯端末１０と、ネットワークを介して通信可能な駐車場管理サーバ２０を備える。
【００１７】
駐車場管理サーバ２０は、インターネットネットワークＩＮに接続されている。携帯端末１０は、移動体通信網ＭＮを介してインターネットネットワークＩＮへ接続可能である。
【００１８】
また、インターネットネットワークＩＮには、携帯端末１０が、駐車料金の電子決済を実行する際に接続する決済サーバ２１が接続されている。
【００１９】
携帯端末１０は、演算部１１と、記憶部１２と、計時部１３と、表示部１４と、操作部１５と、通信部１６と、位置検出部１７を有する。
【００２０】
演算部１１は、記憶部１２に予め記憶されている所定のプログラムに従い、携帯端末１０の各要素の制御及び各種処理を行い、処理中に生じるデータを一時的に保存するために記憶部１２を利用する。
【００２１】
計時部１３は、年月日及び時刻を作成する。演算部１１は、計時部１３が作成した年月日及び時刻を用いて、各種処理を行う。
【００２２】
表示部１４は、演算部１１の動作によって、各種の情報を表示する。表示部１４としては、例えば、液晶パネルを用いることができる。
【００２３】
操作部１５は、利用者２によって操作されて、各種の情報を入力する。操作部１５としては、例えば、タッチパネルを用いることができる。演算部１１は、操作部１５から入力された各種の情報を用いて、各種処理を行う。
【００２４】
通信部１６は、移動体通信網ＭＮとの間でデータの送受信を行う。また、通信部１６は、後述する駐車場の入場機及び出場機等との間でデータの送受信を行う。更に、通信部１６は、無線電話機能も有しており、移動体通信網ＭＮに接続して、他の無線電話との間で音声データの送受信を行う。
【００２５】
位置検出部１７は、携帯端末１０の現在の端末位置情報を作成する。位置検出部１７は、例えば、ＧＰＳ機能を備えており、このＧＰＳ機能を用いて現在の端末位置情報を取得しても良い。演算部１１は、位置検出部１７が作成した端末位置情報を用いて、各種処理を行う。
【００２６】
携帯端末１０としては、例えば、多機能型携帯電話機、タブレット端末、ノート型パーソナルコンピュータ等を用いることができる。
【００２７】
駐車場４０は、車両が入場する車両入口４１及び車両が出場する車両出口４２と、車両が駐車する複数の車室を有する。複数の車室は、グループ化されており、各車室グループはＡ〜Ｄの識別記号により識別される。
【００２８】
車両入口４１には、開閉することにより駐車場への車両の入場を許可する入場ゲート４４と、入場ゲート４４の開閉を制御し、駐車場の利用者２が有する携帯端末１０と通信可能な入場機４３が配置される。
【００２９】
入場機４３は、携帯端末１０と直接通信する通信部４３ａを有する。携帯端末１０と入場機４３の通信部４３ａとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と通信部４３ａとの間の通信にＮＦＣを用いる場合には、利用者２が携帯端末１０を通信部４３ａに近接させることにより、両者の間で通信が行われる。
【００３０】
入場機４３は、入場機を識別する入場機ＩＤを有している。入場機４３は、車両入口４１から入場する利用者２の携帯端末１０に対して、入場機ＩＤを送信する。入場機ＩＤは、駐車場を識別する駐車場識別部と、駐車場内の入場機を識別する入場機識別部を有する。駐車場が複数の入場機を有する場合には、それぞれの入場機は、異なる入場機識別部を有する入場機ＩＤを有することになる。
【００３１】
また、車両入口４１には、入場ゲート４４から入場する車両の車両番号を認識する入場車両番号認識装置４５が配置される。入場車両番号認識装置４５の動作は、入場機４３によって制御される。入場車両番号認識装置４５が認識した入場車両番号は、入場機４３を介して、携帯端末１０に送信される。なお、入場車両番号認識装置４５が、認識した入場車両番号を携帯端末１０に直接送信するようにしても良い。
【００３２】
また、車両出口４２には、開閉することにより駐車場からの車両の出場を許可する出場ゲート４７と、出場ゲート４７の開閉を制御し、駐車場の利用者２が有する携帯端末１０と通信可能な出場機４６が配置される。
【００３３】
出場機４６は、携帯端末１０と直接通信する通信部４６ａを有する。携帯端末１０と出場機４６の通信部４６ａとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と通信部４６ａとの間の通信にＮＦＣを用いる場合には、利用者２が携帯端末１０を通信部４６ａに近接させることにより、両者の間で通信が行われる。
【００３４】
出場機４６は、出場機を識別する出場機ＩＤを有している。出場機４６は、車両出口４２から出場する利用者２の携帯端末１０に対して、出場機ＩＤを送信する。出場機ＩＤは、駐車場を識別する駐車場識別部と、駐車場内の出場機を識別する出場機識別部を有する。駐車場が複数の出場機を有する場合には、それぞれの出場機は、異なる出場機識別部を有する出場機ＩＤを有することになる。
【００３５】
同じ駐車場では、出場機ＩＤが有する駐車場識別部と、入場機ＩＤが有する駐車場識別部とは同じであり、この駐車場識別部は、駐車場を識別する駐車場ＩＤとして用いられる。
【００３６】
また、車両出口４２には、出場ゲート４７から出場する車両の車両番号を認識する出場車両番号認識装置４８が配置される。出場車両番号認識装置４８の動作は、出場機４６によって制御される。出場車両番号認識装置４８が認識した出場車両番号は、出場機４６を介して、携帯端末１０に送信される。なお、出場車両番号認識装置４８が、認識した出場車両番号を携帯端末１０に直接送信するようにしても良い。
【００３７】
駐車場管理サーバ２０は、ネットワークを介して携帯端末１０と通信を行うことにより、利用者２が、駐車場４０を利用した駐車時間に基づいた駐車料金を求め、求めた駐車料金を、ネットワークを介して携帯端末１０へ送信する。
【００３８】
システム１は、駐車場管理サーバ２０と接続される複数のデータベース（ＤＢ）を備えている。駐車場管理サーバ２０は、各ＤＢを検索して、駐車料金の計算等の処理を実行する。具体的には、システム１は、利用者データベース（ＤＢ）３１と、在車データベース（ＤＢ）３２と、料金データベース（ＤＢ）３３と、店舗支払いデータベース（ＤＢ）３４と、割引データベース（ＤＢ）３５と、地図データベース（ＤＢ）３６と、予約データベース（ＤＢ）３７を備える。
【００３９】
次に、各データベース（ＤＢ）について、図面を参照して、以下に説明する。
【００４０】
図３は、利用者ＤＢ３１に記録される利用者登録表３１ａを示す。
【００４１】
利用者登録表３１ａには、システム１を利用することが登録されている駐車場の利用者名と、利用者の住所又は電話番号等の利用者情報と、利用者２が駐車している駐車場ＩＤが、利用者２を識別する利用者ＩＤと関連付けられて登録されている。また、利用者登録表３１ａには、携帯端末１０が、駐車場管理サーバ２０との通信を開始するための暗証番号が、利用者ＩＤと関連付けられて記録されていても良い。
【００４２】
図４は、在車ＤＢ３２に記録される在車表３２ａを示す。
【００４３】
在車表３２ａは、システム１が管理する駐車場を識別する駐車場ＩＤによって識別される。即ち、在車ＤＢ３２には、システム１が管理する駐車場毎に在車表が記録される。
【００４４】
在車表３２ａには、利用者２の車両が駐車場に入場した入場時刻と、利用者２の車両が駐車場から出場した出場時刻と、入場機ＩＤと、出場機ＩＤと、入場車両番号と、出場車両番号と、駐車位置情報とが、利用者ＩＤと関連付けられて記録される。駐車位置情報については、後述する。
【００４５】
本明細書では、入場時刻又は出場時刻等の時刻は、時分と共に、年月日を含む意味である。
【００４６】
図５は、料金ＤＢ３３に記録される駐車料金表３３ａと、予約料金表３３ｂを示す。
【００４７】
駐車料金表３３ａは、システム１が管理する駐車場を識別する駐車場ＩＤによって識別される。即ち、料金ＤＢ３３には、システム１が管理する駐車場毎に駐車料金表が記録される。
【００４８】
駐車料金表３３ａには、駐車時間と駐車料金との関係が記録される。
【００４９】
予約料金表３３ｂには、駐車場の利用者２が駐車場の予約を利用した場合の予約料金が、駐車場ＩＤと関連付けられて記録される。即ち、予約料金は、駐車場によって異なる場合がある。
【００５０】
図６は、店舗支払いＤＢ３４に記録される店舗支払い金額表３４ａを示す。
【００５１】
詳しくは後述するが、駐車場の周辺の店舗には、携帯端末１０と通信可能な割引認証機が配置されており、この割引認証機は、駐車場の利用者２が店舗で支払った支払い金額と、店舗を識別する店舗ＩＤを、携帯端末に送信する。システム１は、利用者２が店舗で支払った支払い金額に応じた割引金額を、駐車料金から減額する。店舗支払い金額表３４ａは、この処理の際に使用される。
【００５２】
店舗支払い金額表３４ａには、店舗ＩＤと、割引認証機を識別する認証機ＩＤと、支払い金額と、利用者が支払金額を店舗で支払った支払い時刻とが、利用者ＩＤと関連付けられて記録される。また、店舗支払い金額表３４ａは、店舗ＩＤと駐車場ＩＤとによって識別さる。
【００５３】
図７は、割引ＤＢ３５に記録される割引金額表３５ａを示す。
【００５４】
割引金額表３５ａには、店舗ＩＤによって識別される店舗ごとに定められた支払金額と割引金額との関係が記録される。また、各店舗の割引金額は、駐車場との関係で定められているので、割引金額表３５ａは、店舗ＩＤと駐車場ＩＤとによって識別さる。
【００５５】
地図ＤＢ３６には、駐車場４０の地図データが記録されている。地図データには、車両入口、車両出口、車室及び車室グループ等の図形データが含まれる。また、地図ＤＢには、例えば地理情報システム（ＧＩＳ：Ｇｅｏｇｒａｐｈｉｃ  Ｉｎｆｏｒｍａｔｉｏｎ  Ｓｙｓｔｅｍ）を基盤とする地図データが、上述した図形データと関連付けられて記憶されていても良い。
【００５６】
図８は、予約ＤＢ３７に記録される予約表３７ａを示す。
【００５７】
システム１では、駐車場の利用者２による駐車場の予約を行うことができる。
【００５８】
予約表３７ａには、駐車場への駐車が予約された予約時間帯と、予約された車室を識別する車室ＩＤと、予約された車室ＩＤで識別される車室への駐車を開始した駐車開始時刻と、予約されていた車室ＩＤで識別される車室への駐車を終了した駐車終了時刻とが、利用者ＩＤと関連付けられて記録される。ここで、予約時間帯は、駐車開始予定時刻と、駐車終了予定時刻とを含む。
【００５９】
次に、本実施形態のシステム１の動作例を、図９〜図１１を参照して、以下に説明する。
【００６０】
まず、車両が車両入口に入場する時のシステム１の動作を以下に説明する。
【００６１】
車両３を運転する駐車場の利用者２は、駐車場４０の車両入口４１で停車する（図２参照）。この時、入場ゲート４４は閉じた状態にある。利用者２が、携帯端末１０を入場機４３の通信部４３ａに近づける等の動作を実行することにより、入場機４３と携帯端末１０との間の距離が通信可能な範囲内になると、両者の間で通信が開始される。
【００６２】
また、入場車両番号認識装置４５は、入場ゲート４４に対して所定の範囲内に近づいた車両３の車両番号を認識し、認識された車両番号を入場車両番号として、入場機４３に送る。
【００６３】
そして、ステップＳ１０において、入場機４３は、入場機ＩＤ及び入場車両番号を、携帯端末１０へ送信する。
【００６４】
次に、ステップＳ１１において、携帯端末１０は、入場機ＩＤ及び入場車両番号を受信する。
【００６５】
次に、ステップＳ１２において、携帯端末１０は、入場機ＩＤと、入場機ＩＤを受信した時刻である入場時刻と、入場車両番号と、利用者ＩＤを、ネットワークを介して駐車場管理サーバ２０へ送信する。入場時刻は、計時部１３が作成する。ここで、入場時刻は、車両の駐車場への入場を示す時刻であれば良く、入場時刻は、入場機４３が入場機ＩＤを送信した時刻であっても良い。
【００６６】
次に、ステップＳ１３において、駐車場管理サーバ２０は、入場機ＩＤと、入場時刻と、入場車両番号と、利用者ＩＤを受信する。
【００６７】
次に、ステップＳ１４において、駐車場管理サーバ２０は、利用者ＤＢ３１の利用者登録表３１ａを検索して受信した利用者ＩＤが登録されているかを判断する。そして、受信した利用者ＩＤが利用者登録表３１ａに登録されている場合には、ステップＳ１５に進む。一方、受信した利用者ＩＤが利用者登録表３１ａに登録されていない場合には、ステップＳ２０に進む。
【００６８】
ステップＳ１５に進んだ場合、駐車場管理サーバ２０は、利用者が登録利用者であることを、ネットワークを介して携帯端末１０へ送信する。
【００６９】
次に、ステップＳ１６において、利用者が登録利用者であることを受信した携帯端末１０は、入場ゲートを開ける要求を、入場ゲート４４を開ける要求を入場機４３へ送信する。
【００７０】
次に、ステップＳ１７において、入場機４３は、入場ゲート４４を開ける要求を受信する。
【００７１】
次に、ステップＳ１８において、入場機４３は、入場ゲート４４を開ける。
【００７２】
そして、利用者２は、車両２を運転して、入場ゲート４４を通過して駐車場４０へ入場し、所定の車室へ駐車する。
【００７３】
また、駐車場管理サーバ２０は、ステップＳ１９において、受信した入場時刻と、入場機ＩＤと、入場車両番号とを、受信した利用者ＩＤと関連づけて、駐車場ＩＤで識別される在車表３２ａに記録する。駐車場ＩＤは、入場機ＩＤが有する駐車場識別部から読み取られる。また、駐車場管理サーバ２０は、読み取った駐車場ＩＤを、利用者ＩＤと関連づけて、利用者登録表３１ａに記録する。利用者ＩＤと関連づけられて利用者登録表３１ａに駐車場ＩＤが記録されている利用者は、駐車場ＩＤによって識別される駐車場を利用している状態にある。
【００７４】
一方、ステップＳ２０に進んだ場合、駐車場管理サーバ２０は、利用者が登録利用者でないことを、ネットワークを介して携帯端末１０へ送信する。
【００７５】
次に、ステップＳ２１において、利用者が登録利用者でないことを受信した携帯端末１０は、登録利用者でないことを表示部１４に表示する。
【００７６】
次に、ステップＳ２２において、携帯端末１０は、登録利用者でない利用者が、駐車場を利用する代替手段を表示部１４に表示する。
【００７７】
次に、車両が車両出口から出場する時のシステム１の動作を以下に説明する。
【００７８】
まず、駐車場４０内で車両３を運転する駐車場の利用者２は、駐車場４０の車両出口４２で停車する（図２参照）。この時、出場ゲート４７は閉じた状態にある。利用者２が、携帯端末１０を出場機４６の通信部４６ａに近づける等の動作を実行することにより、出場機４６と携帯端末１０との間の距離が通信可能な範囲内になると、両者の間で通信が開始される。
【００７９】
また、出場車両番号認識装置４８は、出場ゲート４７に対して所定の範囲内に近づいた車両３の車両番号を認識し、認識された車両番号を出場車両番号として、出場機４６に送る。
【００８０】
そして、ステップＳ２４において、出場機４６は、出場機を識別する出場機ＩＤと、出場車両番号を、携帯端末１０へ送信する。
【００８１】
次に、ステップＳ２５において、携帯端末１０は、出場機ＩＤと、出場車両番号を受信する。
【００８２】
次に、ステップＳ２６において、出場機ＩＤを受信した携帯端末１０は、出場機ＩＤと、出場機ＩＤを受信した時刻である出場時刻と、出場車両番号と、利用者ＩＤを、ネットワークを介して駐車場管理サーバ２０へ送信する。出場時刻は、計時部１３が作成する。ここで、出場時刻は、駐車場からの車両の出場を示す時刻であれば良く、出場時刻は、出場機４６が出場機ＩＤを送信した時刻であっても良い。
【００８３】
次に、ステップＳ２７において、駐車場管理サーバ２０は、出場機ＩＤと、出場時刻と、出場車両番号と、利用者ＩＤを受信する。
【００８４】
次に、ステップＳ２８において、駐車場管理サーバ２０は、受信した利用者ＩＤに基づいて在車表３２ａを検索し、利用者ＩＤと関連づけられて記録された入場車両番号を読み取り、読み取られた入場車両番号が、受信した出場車両番号と一致しているかを調べる。そして、入場車両番号が、受信した出場車両番号と一致している場合には、ステップＳ３３に進む。一方、入場車両番号が、受信した出場車両番号と一致していない場合には、ステップＳ２９に進む。
【００８５】
ステップ３３（図１１参照）に進んだ場合、駐車場管理サーバ２０は、受信した利用者ＩＤに基づいて在車表３２ａを検索し、利用者ＩＤと関連づけられて記録された入場時刻を読み取り、読み取られた入場時刻及び受信した出場時刻に基づいて駐車時間を求め、求められた駐車時間に基づいて、料金ＤＢ３３の駐車料金表３３ａを参照して駐車料金を求める。駐車料金表３３ａは、利用者ＩＤに基づいて利用者登録表３１ａが検索されて読み取られた駐車場ＩＤを用いて識別される。以降、駐車場管理サーバ２０が駐車料金表３３ａを用いる場合には、同様の処理が行われる。
【００８６】
ここで、駐車料金を、入場時刻と関係づけて決定しても良い。例えば、入場時刻が、夜間等の時間帯、又は、休日若しくは祭日である場合には、単位時間あたりの駐車料金を通常とは異なる料金としたり、特定の記念日等は、駐車時間にかかわらず一定の料金とすることができる。この場合には、入場時刻及び駐車時間と駐車料金との関係が、駐車料金表３３ａに記録される。
【００８７】
次に、ステップＳ３４において、駐車場管理サーバ２０は、求められた駐車料金を、入場時刻と共に、ネットワークを介して携帯端末１０へ送信する。
【００８８】
次に、ステップＳ３６において、携帯端末１０は、駐車料金と、入場時刻を受信する。
【００８９】
次に、ステップＳ３８において、携帯端末１０は、駐車料金を表示部１４に表示する。
【００９０】
図１２は、携帯端末の表示部を示す図である。
【００９１】
携帯端末１０の表示部１４には、駐車場名及び利用者の氏名が表示される。
【００９２】
また、表示部１４には、入場時刻である駐車場の利用開始時刻が、利用開始時刻表示部１４ａに表示され、駐車料金が、駐車料金表示部１４ｂに表示され、利用者２への請求金額である利用料金が、利用料金表示部１４ｅに表示される。ここでは、利用料金表示部１４ｅに表示される料金は、駐車料金表示部１４ｂに表示された料金と同じである。
【００９３】
また、詳しくは後述するが、予約料金が発生している場合には、利用料金表示部１４ｅには、予約料金が加算された駐車料金が表示される。また、割引金額が発生している場合には、利用料金表示部１４ｅには、割引金額が減額された駐車料金が表示される。
【００９４】
また、表示部１４には、利用者２によって選択される電子決済手段を選択する決済手段選択ボタン１４ｆ、１４ｇが表示される。電子決済手段としては、例えば、クレジットカード又は電子通貨が挙げられる。決済手段選択ボタン１４ｆ、１４ｇの選択は、操作部１５により入力される。クレジットカードの番号、暗証番号、電子通貨の登録者番号、又は駐車料金が支払われる決済相手情報等の決済情報は、記憶部１２に記憶されている。
【００９５】
更に、表示部１４には、選択された電子決済手段による決済を操作する決済ボタン１４ｈが表示される。決済ボタン１４ｈの操作は、操作部１５により入力される。
【００９６】
次に、ステップＳ４０において、利用者２が、決済手段選択ボタン１４ｆ、１４ｇを選択し、且つ、決済ボタン１４ｈを操作すると、携帯端末１０は、ネットワークを介して決済サーバ２１と接続する。携帯端末１０は、駐車料金及びその他の決済情報を、ネットワークを介して決済サーバ２１へ送信する。そして、決済サーバ２１は、駐車料金の決済を実行した後、決済完了通知をネットワークを介して携帯端末１０へ送信し、携帯端末１０は、決済完了通知を受信する。
【００９７】
次に、ステップ４２において、決済完了通知を受信した携帯端末１０は、出場ゲート４７を開ける要求を出場機４６へ送信する。
【００９８】
次に、ステップ４４において、出場機４６は、出場ゲート４７を開ける要求を受信する。
【００９９】
次に、ステップ４６において、出場機４６は、出場ゲート４７を開ける。
【０１００】
そして、利用者２は、車両２を運転して、出場ゲート４７を通過して駐車場４０から出場する。
【０１０１】
また、ステップＳ４７において、携帯端末１０は、駐車料金の決済が完了して車両が出場したことを、ネットワークを介して駐車場管理サーバ２０へ送信する。
【０１０２】
次に、ステップＳ４８において、駐車場管理サーバ２０は、駐車料金の決済が完了して車両が出場したことを受信する。
【０１０３】
次に、ステップＳ４９において、駐車場管理サーバ２０は、受信した出場時刻を、利用者ＩＤと関連づけて在車表３２ａに記録する。在車表３２ａは、利用者ＩＤに基づいて利用者登録表３１ａが検索されて読み取られた駐車場ＩＤを用いて識別される。以降、駐車場管理サーバ２０が在車表３２ａを用いる場合には、同様の処理が行われる。そして、駐車場管理サーバ２０は、利用者ＩＤに基づいて利用者登録表３１ａを検索し、利用者ＩＤと関連付けられている駐車場ＩＤを、利用者登録表３１ａから削除する。利用者ＩＤと関連づけられて利用者登録表３１ａに駐車場ＩＤが記録されていない利用者は、駐車場を利用していない状態にある。
【０１０４】
一方、ステップＳ２９（図１０参照）に進んだ場合、駐車場管理サーバ２０は、入場車両番号と出場車両番号とが一致していないことを、ネットワークを介して携帯端末１０へ送信する。
【０１０５】
次に、ステップＳ３０において、入場車両番号と出場車両番号とが一致していないことを受信した携帯端末１０は、入場車両番号と出場車両番号とが一致していないことを表示部１４に表示する。
【０１０６】
次に、ステップＳ３１において、携帯端末１０は、駐車場からの車両の出場のための案内を表示部１４に表示する。
【０１０７】
上述した本実施形態の駐車場管理システムによれば、駐車場４０への車両３の入場及び出場の管理と、駐車料金の決済とが、利用者２の有する携帯端末１０と、駐車場管理サーバ２０との間の通信によって実行されるので、駐車場を利用した時の駐車料金の支払い処理を低減できる。
【０１０８】
また、本実施形態によれば、駐車料金の改定があった場合には、料金ＤＢ３３に記録された駐車料金表３３ａの駐車時間と駐車料金との関係を変更することにより、駐車料金の改訂を容易に行うことができる。
【０１０９】
次に、上述した駐車場管理システムの他の実施形態を、図１３〜図２１を参照しながら以下に説明する。他の実施形態について特に説明しない点については、上述の第１実施形態に関して詳述した説明が適宜適用される。
【０１１０】
まず、第２実施形態の駐車場管理システムについて、以下に説明する。
【０１１１】
本実施形態の駐車場管理システムでは、駐車場の利用者２が、駐車場の周辺の店舗で買い物をした場合、店舗で支払った支払い金額に応じて、駐車料金が減額される。
【０１１２】
図１３は、店舗の様子を説明する図である。
【０１１３】
本実施形態のシステム１では、駐車場の周辺の店舗５０において、商品５２を購入した駐車場の利用者２は、商品５２の代金を支払う。店舗５０の店員５０ａは、店舗５０に配置された割引認証機５１を操作して、利用者２が店舗で支払った支払い金額を割引認証機５１に入力する。
【０１１４】
割引認証機５１は、携帯端末１０と直接通信する通信部５１ａを有する。携帯端末１０と割引認証機５１の通信部５１ａとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と通信部５１ａとの間の通信にＮＦＣを用いる場合には、利用者２が携帯端末１０を通信部５１ａに近接させることにより、両者の間で通信が行われる。
【０１１５】
割引認証機５１は、例えば、レジスタに組み込んでも良い。
【０１１６】
次に、本実施形態のシステム１の動作例を、図１４及び図１５を参照して、以下に説明する。
【０１１７】
まず、駐車場の利用者２が店舗５０で支払い代金を支払った時のシステム１の動作を以下に説明する。
【０１１８】
ステップＳ５０において、割引認証機５１は、支払い金額と、店舗を識別する店舗ＩＤと、駐車場の利用者２が店舗５０で支払い金額を支払った支払い時刻と、割引認証機５１を識別する認証機ＩＤを、携帯端末１０へ送信する。
【０１１９】
次に、ステップＳ５２において、携帯端末１０は、支払い金額と、店舗ＩＤと、支払い時刻と、認証機ＩＤを受信する。
【０１２０】
次に、ステップＳ５４において、携帯端末１０は、支払い金額と、店舗ＩＤと、支払い時刻と、認証機ＩＤを、利用者ＩＤと共に、ネットワークを介して駐車場管理サーバ２０へ送信する。
【０１２１】
次に、ステップＳ５６において、駐車場管理サーバ２０は、支払い金額と、店舗ＩＤと、支払い時刻と、認証機ＩＤを、利用者ＩＤと共に受信する。
【０１２２】
次に、ステップＳ５８において、駐車場管理サーバ２０は、受信した支払い金額と、店舗ＩＤと、支払い時刻と、認証機ＩＤを、利用者ＩＤと関連付けて、店舗支払いＤＢ３４の店舗支払い金額表３４ａに記録する。
【０１２３】
次に、車両が車両出口から出場する時のシステム１の動作を以下に説明する。以下のシステム１の動作は、図１１のステップＳ３４ａとステップＳ３８との間に行われる。
【０１２４】
まず、ステップＳ６０において、駐車場管理サーバ２０は、利用者ＩＤに基づいて店舗支払い金額表３４ａを検索し、利用者ＩＤと関連づけられて記録された店舗ＩＤ及び支払い金額及び支払い時刻を求め、支払い時刻が、在車表３２ａに記録された入場時刻と出場時刻との間にあるかを判断する。
【０１２５】
次に、ステップＳ６２に進む。ステップＳ６２では、ステップＳ６２ａ及びＳ６２ｂ若しくはステップＳ６２ｃが実行される。
【０１２６】
まず、ステップＳ６２ａにおいて、駐車場管理サーバ２０は、支払い時刻が、在車表３２ａに記録された入場時刻と出場時刻との間にある場合には、求められた店舗ＩＤ及び支払い金額に基づいて、駐車場ＩＤによって識別される割引表３５ａを検索して割引金額を求め、割引金額が減額された駐車料金を求める。割引表３５ａは、利用者ＩＤに基づいて利用者登録表３１ａが検索されて読み取られた駐車場ＩＤを用いて識別される。以降、駐車場管理サーバ２０が割引表３５ａを用いる場合には、同様の処理が行われる。
【０１２７】
次に、ステップＳ６２ｂにおいて、駐車場管理サーバ２０は、割引金額が減額された駐車料金と、割引金額を、ネットワークを介して携帯端末１０へ送信する。そして、駐車場管理サーバ２０は、利用者ＩＤに基づいて利用者登録表３１ａを検索し、利用者ＩＤと関連付けられている駐車場ＩＤを、利用者登録表３１ａから削除する。
【０１２８】
次に、ステップＳ６４において、携帯端末１０は、割引金額が減額された駐車料金と、入場時刻と、割引金額を受信する。
【０１２９】
そして、携帯端末１０は、図１１のステップＳ３８において、駐車料金を表示する。
【０１３０】
携帯端末１０の表示部１４の駐車料金表示部１４ｂには、割引料金が減額される前の駐車料金が表示される共に、割引金額表示部１４ｄに割引金額が表示される。ここで、割引金額が減額される前の駐車料金は、割引金額が減額された駐車料金に対して割引料金が加算された値である。そして、利用料金表示部１４ｅには、割引金額が減額された駐車料金が表示される。
【０１３１】
一方、ステップＳ６２ｃにおいて、支払い時刻が、入場時刻と出場時刻との間ではない場合には、駐車場管理サーバ２０は、入場時刻と、割引金額を減額されない駐車料金を、ネットワークを介して携帯端末１０へ送信する。これは、利用者２が店舗５０で商品の購入をした時刻が、駐車場の利用時間内ではないと判断されたためである。
【０１３２】
次に、ステップＳ６６において、携帯端末１０は、入場時刻と、割引金額を減額されない駐車料金を受信する。
【０１３３】
そして、携帯端末１０は、図１１のステップＳ３８において、駐車料金を表示する。
【０１３４】
上述した本実施形態の駐車場管理システムによれば、駐車場の周辺の店舗５０で商品の購入を行った駐車場の利用者２に対して、駐車料金の減額を行うことにより、利用者２による駐車場の利用を促進することができる。また、駐車場の周辺の店舗５０における利用者２による商品の購入を促進することができる。
【０１３５】
なお、利用者２が、駐車時間内に、複数の支払いを行った場合には、支払い金額それぞれの割引金額が、駐車料金から減額されるようにしても良い。
【０１３６】
また、システム１は、利用者２が店舗で支払った支払い金額に応じて、利用者に付与されるポイントを、利用者ＩＤと関連づけて記録するポイントＤＢを有していても良い。このポイントは、ポイントが付与された店舗で買い物をする際に、支払い金額の割引に用いられる。
【０１３７】
次に、第３実施形態の駐車場管理システムについて、以下に説明する。
【０１３８】
本実施形態の駐車場管理システムでは、駐車場の利用者２に対して、利用者２が車両３を駐車した地点を示す地図が提供される。
【０１３９】
図２に示すように、本実施形態のシステム１における駐車場４０内の車室には、位置情報送信機４９ａが配置される。位置情報送信機４９ａは、位置情報送信機４９ａが配置された位置情報を携帯端末１０へ送信する。図２に示す例では、位置情報送信機４９ａは、車室グループＢに含まれる一の車室に配置されており、配置された車室の位置情報を携帯端末１０へ送信する。
【０１４０】
即ち、位置情報送信機４９ａが、利用者２が車両３を駐車した車室に配置されていれば、位置情報送信機４９ａが送信する位置情報は、車両の駐車位置を示す情報となる。
【０１４１】
なお、図示しないが、他の車室にも位置情報送信機が配置されていても良い。
【０１４２】
また、駐車場４０の車室グループＤには、位置情報送信機４９ｂが配置される。位置情報送信機４９ｂは、配置された車室グループＤの位置情報を携帯端末１０へ直接送信する。
【０１４３】
即ち、位置情報送信機４９ｂが、利用者２が車両３を駐車した車室が含まれる車室グループに配置されていれば、位置情報送信機４９ａが送信する位置情報は、車両の駐車位置を示す情報となる。
【０１４４】
なお、図示しないが、他の車室グループにも位置情報送信機が配置されていても良い。
【０１４５】
携帯端末１０と位置情報送信機４９ａ、４９ｂとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と位置情報送信機４９ａ、４９ｂとの間の通信にＮＦＣを用いる場合には、利用者２が携帯端末１０を位置情報送信機４９ａ、４９ｂに近接させることにより、両者の間で通信が行われる。
【０１４６】
次に、本明細書のシステム１の動作例を、図１６及び図１７を参照して、以下に説明する。
【０１４７】
まず、駐車場の利用者２が車両３を車室に駐車した後のシステム１の動作を以下に説明する。
【０１４８】
利用者２が、携帯端末１０を、車両を駐車した車室に配置された位置情報送信機４９ａに近づける等の動作を実行することにより、位置情報送信機４９ａと携帯端末１０との間の距離が通信可能な範囲内になると、両者の間で通信が開始される。
【０１４９】
ステップＳ７０において、位置情報送信機４９ａは、位置情報送信機４９ａが配置された位置情報を携帯端末１０へ送信する。
【０１５０】
次に、ステップＳ７２において、携帯端末１０は、位置情報送信機４９ａの位置情報を受信する。受信した位置情報は、利用者２が車両３を駐車した車室の位置情報を示すので、以降、この位置情報を車両の駐車位置情報ともいう。
【０１５１】
次に、ステップＳ７４において、携帯端末１０は、駐車位置情報を、利用者ＩＤと共に、ネットワークを介して駐車場管理サーバ２０へ送信する。
【０１５２】
次に、ステップＳ７６において、駐車場管理サーバ２０は、駐車位置情報を、利用者ＩＤと共に受信する。
【０１５３】
次に、ステップＳ７８において、駐車場管理サーバ２０は、受信した駐車位置情報を、利用者ＩＤと関連付けて、在車ＤＢ３２の在車表３２ａに記録する。
【０１５４】
次に、駐車場の利用者２が、利用者２が車両３を駐車した地点を示す地図を要求した時のシステム１の動作を以下に説明する。
【０１５５】
まず、利用者２は、携帯端末１０を操作して、利用者２が車両３を駐車した地点を示す駐車場の地図を要求する。
【０１５６】
ステップＳ８０において、携帯端末１０は、駐車場の地図の要求と、利用者ＩＤと、携帯端末１０の現時の位置を示す端末位置情報を、ネットワークを介して駐車場管理サーバ２０へ送信する。端末位置情報は、位置検出部１７が作成する。
【０１５７】
次に、ステップＳ８２において、駐車場管理サーバ２０は、駐車場の地図の要求と、利用者ＩＤと、端末位置情報を受信する。
【０１５８】
次に、ステップＳ８４において、駐車場管理サーバ２０は、受信した利用者ＩＤに基づいて在車表３２ａを検索し、利用者ＩＤと関連づけられて記録された駐車位置情報を読み取り、読み取られた駐車位置情報と受信した端末位置情報とに基づいて、駐車位置情報に基づいた駐車場内の地点から携帯端末１０の現在の位置までの経路が表示された地図を、地図ＤＢ３６を用いて生成し、生成された地図を、ネットワークを介して携帯端末１０へ送信する。
【０１５９】
次に、ステップＳ８６において、携帯端末１０は、地図を受信する。
【０１６０】
次に、ステップＳ８８において、携帯端末１０は、地図を表示部１４に表示する。
【０１６１】
図１８は、携帯端末の表示部に示された地図を示す図である。
【０１６２】
図１８に示す地図には、携帯端末１０の現在の位置Ｐから、車両が駐車された車室を示す駐車場内の地点Ｇまでの経路が矢印で示されている。
【０１６３】
上述した本実施形態の駐車場管理システムによれば、車両を駐車した駐車場内の地点から携帯端末の現在の位置までの経路が表示された地図が提供されるので、駐車場の利用者２は、車両を駐車した駐車場内の地点に戻ることが容易となる。
【０１６４】
次に、第４実施形態の駐車場管理システムについて、図１９〜図２１を参照して、以下に説明する。
【０１６５】
本実施形態のシステム１では、駐車場の利用者２が駐車場の予約を行うことができる。そして、駐車場の予約が利用された場合には、予約料金が駐車料金に加算される。
【０１６６】
利用者２は、駐車場を利用する前に携帯端末１０を操作して、駐車場管理サーバ２０に対して、駐車場への駐車を予約する。
【０１６７】
駐車場管理サーバ２０は、駐車場への駐車が予約された予約時間帯と、予約された車室を識別する車室ＩＤを、利用者ＩＤと関連付けて、予約ＤＢ３７の駐車場ＩＤによって識別される予約表３７ａに記録する。また、駐車場管理サーバ２０は、利用者２の携帯端末１０に対して、駐車場の予約が完了したことと、予約時間帯と、予約された車室を識別する車室ＩＤを、ネットワークを介して送信する。
【０１６８】
利用者２は、携帯端末１０が受信した車室ＩＤに基づいて、予約された車室へ車両を駐車することができる。
【０１６９】
まず、駐車場の利用者２が車両３を運転して、車両が予約された車室へ進入する時のシステム１の動作を以下に説明する。
【０１７０】
図１９は、車室に配置される阻止装置を説明する図である。図２０〜図２１は、駐車場管理システムの第４実施形態の動作を説明するシーケンス図である。
【０１７１】
図１９（Ａ）に示すように、車両３を運転する駐車場の利用者２は、予約された車室ＩＤで識別される車室の前で停車する。
【０１７２】
車室６０には、車室への車両の進入を規制する進入規制手段としての阻止装置６１が配置される。阻止装置６１は、車室への車両の進入を規制する阻止板６１ａと、携帯端末１０と通信可能な通信部６１ｂを有する。なお、進入規制手段は、利用者が車室へ車両を進入させないように抑止するサイン若しくは言葉の表示又は音声案内であっても良い。
【０１７３】
携帯端末１０と阻止装置６１の通信部６１ａとの間の通信には、例えば、近距離無線通信を用いることができる。近距離無線通信としては、例えば、ＩＳＯ／ＩＥＣ  １８０９２又は２１４８１として規定されるＮＦＣ（Ｎｅａｒ  Ｆｉｅｌｄ  Ｃｏｍｍｕｎｉｃａｔｉｏｎ）が挙げられる。携帯端末１０と通信部６１ａとの間の通信にＮＦＣを用いる場合には、利用者２が携帯端末１０を通信部６１ａに近接させることにより、両者の間で通信が行われる。
【０１７４】
まず、図２０のステップＳ９０において、携帯端末１０は、車両が車室への進入が可能な状態へ移行させる要求を、予約された車室ＩＤで識別される車室６０の阻止装置６１へ送信する。
【０１７５】
次に、ステップＳ９２において、阻止装置６１は、車両が車室への進入が可能な状態へ移行させる要求を受信する。
【０１７６】
次に、ステップＳ９４において、阻止装置６１は、図１９（Ｂ）に示すように、阻止板６１ａを倒して、車両が車室への進入が可能な状態へ移行する。利用者２は、車両３を運転して、車室６０に車両３を駐車する。
【０１７７】
また、ステップＳ９６において、携帯端末１０は、予約された車室ＩＤで識別される車室６０への駐車を開始した駐車開始時刻と、利用者ＩＤを、ネットワークを介して駐車場管理サーバ２０へ送信する。駐車開始時刻は、計時部１３が作成する。
【０１７８】
次に、ステップＳ９８において、駐車場管理サーバ２０は、予約された車室ＩＤで識別される車室への駐車を開始した駐車開始時刻と、利用者ＩＤを受信する。
【０１７９】
次に、ステップＳ１００において、駐車場管理サーバ２０は、受信した駐車開始時刻を、利用者ＩＤと関連づけて予約ＤＢ３７の予約表３７ａに記録する。予約表３７ａは、利用者ＩＤに基づいて利用者登録表３１ａが検索されて読み取られた駐車場ＩＤを用いて識別される。以降、駐車場管理サーバ２０が予約表３７ａを用いる場合には、同様の処理が行われる。
【０１８０】
次に、駐車場の利用者２が車両３を運転して、車両が予約された車室から退出する時のシステム１の動作を以下に説明する。
【０１８１】
図１９（Ｃ）に示すように、車両３を運転する駐車場の利用者２は、予約された車室のから退出して停車する。
【０１８２】
次に、図２１のステップＳ１０２において、携帯端末１０は、車両が車室への進入を阻止する状態へ移行させる要求を、予約されていた車室ＩＤで識別される車室６０の阻止装置６１へ送信する。
【０１８３】
次に、ステップＳ１０４において、阻止装置６１は、車両が車室への進入を阻止する状態へ移行させる要求を受信する。
【０１８４】
次に、ステップＳ１０６において、阻止装置６１は、倒れていた阻止板６１を起こして、車両が車室への進入を阻止する状態へ移行する。これは、他の駐車場の利用者が、予約されている車室への進入を防止するためである。
【０１８５】
また、ステップＳ１０８において、携帯端末１０は、予約されていた車室ＩＤで識別される車室６０への駐車を終了した駐車終了時刻と、利用者ＩＤを、ネットワークを介して駐車場管理サーバ２０へ送信する。駐車終了時刻は、計時部１３が作成する。
【０１８６】
次に、ステップＳ１１０において、駐車場管理サーバ２０は、車室６０への駐車を終了した駐車終了時刻と、利用者ＩＤを受信する。
【０１８７】
次に、ステップＳ１１２において、駐車場管理サーバ２０は、受信した駐車終了時刻を、利用者ＩＤと関連づけて予約表３７ａに記録する。
【０１８８】
次に、車両が車両出口から出場する時のシステム１の動作を以下に説明する。以下のシステム１の動作は、図１１のステップＳ３４ａとステップＳ３８との間に行われる。
【０１８９】
まず、図２２のステップＳ１１４において、駐車場管理サーバ２０は、受信した利用者ＩＤに基づいて予約表３７ａを検索し、利用者ＩＤと関連づけられて記録された駐車開始時刻が記録されているか判断する。
【０１９０】
次に、ステップＳ１１６に進む。ステップＳ１１６では、ステップＳ１１６ａ及びＳ１１６ｂ若しくはステップＳ１１６ｃが実行される。
【０１９１】
まず、ステップ１１６ａにおいて、利用者ＩＤと関連づけられて記録された駐車開始時刻が、予約表３７ａに記録されている場合には、駐車場管理サーバ２０は、駐車場ＩＤに基づいて予約料金表３３ｂを参照して予約料金を求める。ここで、駐車場ＩＤは、利用者ＩＤに基づいて利用者登録表３１ａが検索されて読み取られる。
【０１９２】
次に、ステップＳ１１６ｂにおいて、駐車場管理サーバ２０は、入場時刻と、求められた予約料金が加算された駐車料金と、予約料金を、ネットワークを介して携帯端末１０へ送信する。そして、駐車場管理サーバ２０は、利用者ＩＤに基づいて利用者登録表３１ａを検索し、利用者ＩＤと関連付けられている駐車場ＩＤを、利用者登録表３１ａから削除する。
【０１９３】
次に、ステップＳ１１８において、携帯端末１０は、入場時刻と、予約料金が加算された駐車料金と、予約料金を受信する。
【０１９４】
そして、携帯端末１０は、図１１のステップＳ３８において、駐車料金を表示する。
【０１９５】
携帯端末１０の表示部１４の駐車料金表示部１４ｂには、予約料金が加算される前の駐車料金が表示される共に、予約料金表示部１４ｃに予約料金が表示される。ここで、予約料金が加算される前の駐車料金は、予約料金が加算された駐車料金に対して予約料金が減額された値である。そして、利用料金表示部１４ｅには、予約料金が加算された駐車料金が表示される。
【０１９６】
一方、ステップＳ１１６ｃにおいて、利用者ＩＤと関連づけられて記録された駐車開始時刻が、予約表３７ａに記録されていない場合には、駐車場管理サーバ２０は、予約が利用されていないと判断して予約料金を加算することなく、入場時刻と、図１１のステップＳ３４ａで求められた駐車料金を、ネットワークを介して携帯端末１０へ送信する。そして、駐車場管理サーバ２０は、利用者ＩＤに基づいて利用者登録表３１ａを検索し、利用者ＩＤと関連付けられている駐車場ＩＤを、利用者登録表３１ａから削除する。
【０１９７】
次に、ステップＳ１２０において、携帯端末１０は、入場時刻と、駐車料金を受信する。
【０１９８】
上述した本実施形態の駐車場管理システムによれば、駐車場の予約を利用した利用者２に対する予約料金の決済が、駐車料金の決済と同様に、利用者２の有する携帯端末１０と、駐車場管理サーバ２０との間の通信によって実行されるので、予約料金の支払い処理を低減できる。
【０１９９】
また、本実施形態の駐車場管理システムでは、利用者２に対して、駐車場の車両入口４１及び予約された車室の位置を表示する地図を提供するようにしても良い。
【０２００】
具体的には、車両が車両入口４１に入場する時には、入場時刻及び利用者ＩＤを受信した駐車場管理サーバ２０は、予約ＤＢ３７の予約表３７ａを検索して、利用者ＩＤが予約表３７ａに記録されている場合には、駐車場の車両入口４１と予約された車室の位置が表示された地図を、地図ＤＢ３６を用いて生成し、生成された地図を、ネットワークを介して携帯端末１０へ送信する。ここで、地図の生成及び送信は、携帯端末１０からの要求に応じて行うようにしても良い。利用者２は、携帯端末１０の表示部１４に表示された地図を参考にして、駐車場の車両入口４１から予約された車室までを運転する。なお、運転経路を案内する音声ガイドを行うようにしても良い。
【０２０１】
次に、上述した第４実施例の変形例のシステムを以下に説明する。
【０２０２】
本変形例のシステムでも、駐車場の利用者２が駐車場の予約を行うことができる。予約の管理には、駐車場の利用を予約した利用者の利用者ＩＤが記録された予約ＤＢ３７が用いられる。そして、駐車場の予約が利用された場合には、予約料金が駐車料金に加算される。
【０２０３】
本変形例では、駐車場は、駐車場の利用を予約した利用者の車両を駐車するための予約領域を有している。予約領域は、他の一般の利用者が利用できないように区画されている。予約領域内には、複数の車室が配置されているが、本変型例では、各車室に阻止装置は配置されていない。
【０２０４】
予約領域は、予約領域の車両入口に配置され、開閉することにより予約領域への車両の入場を許可する予約領域入場ゲートと、この予約領域入場ゲートの開閉を制御し、携帯端末１０と通信可能な予約領域入場機を有する。携帯端末１０と予約領域入場機との間の通信には、例えば、ＮＦＣ等の近距離無線通信を用いることができる。
【０２０５】
また、予約領域は、予約領域の車両出口に配置され開閉することにより予約領域からの車両の出場を許可する予約領域出場ゲートと、この予約領域出場ゲートの開閉を制御し、携帯端末１０と通信可能な予約領域出場機を有する。携帯端末１０と予約領域出場機との間の通信には、例えば、ＮＦＣ等の近距離無線通信を用いることができる。
【０２０６】
本変形例では、車両が車両入口に入場する時には、入場時刻及び利用者ＩＤを受信した駐車場管理サーバ２０は、予約ＤＢ３７の予約表３７ａを検索して、利用者ＩＤが予約表３７ａに記録されている場合には、駐車場の車両入口４１と予約領域の車両入口の位置が表示された地図を、地図ＤＢ３６を用いて生成し、生成された地図を、ネットワークを介して携帯端末１０へ送信する。ここで、地図の生成及び送信は、携帯端末１０からの要求に応じて行うようにしても良い。利用者２は、携帯端末１０の表示部１４に表示された地図を参考にして、駐車場の車両入口４１から予約領域の車両入口までを運転する。なお、運転経路を案内する音声ガイドを行うようにしても良い。
【０２０７】
また、車両が予約領域の車両入口に入場する時には、予約領域入場機は、この予約領域入場機を識別する予約領域入場機ＩＤを、携帯端末１０へ送信する。次に、携帯端末１０は、予約領域入場機ＩＤを受信した後、予約領域入場ゲートを開ける要求を予約領域入場機へ送信すると共に、予約領域への車両の駐車を開始した予約領域駐車開始時刻と、利用者ＩＤを、ネットワークを介して駐車場管理サーバ２０へ送信する。ここで、予約領域駐車開始時刻は、予約領域への車両の入場を示す時刻であれば良く、予約領域駐車開始時刻は、例えば、携帯端末１０が予約領域入場機ＩＤを受信した時刻又は予約領域入場機が予約領域入場機ＩＤを送信した時刻とすることができる。次に、駐車場管理サーバ２０は、受信した予約領域駐車開始時刻を、利用者ＩＤと関連づけて予約表３７ａに記録する。
【０２０８】
次に、車両が予約領域の車両出口から出場する時には、予約領域出場機は、この予約領域出場機を識別する予約領域出場機ＩＤを、携帯端末１０へ送信する。次に、携帯端末１０は、予約領域出場機ＩＤを受信した後、予約領域駐車終了時刻と、利用者ＩＤを、ネットワークを介して駐車場管理サーバ２０へ送信する。ここで、予約領域駐車終了時刻は、予約領域からの車両の出場を示す時刻であれば良く、予約領域駐車終了時刻は、例えば、携帯端末１０が予約領域出場機ＩＤを受信した時刻又は予約領域出場機が予約領域出場機ＩＤを送信した時刻とすることができる。次に、駐車場管理サーバ２０は、受信した予約領域駐車終了時刻を、利用者ＩＤと関連づけて予約表３７ａに記録する。
【０２０９】
また、車両が駐車場の車両出口から出場する時には、駐車場管理サーバ２０は、受信した利用者ＩＤに基づいて予約表３７ａを検索し、利用者ＩＤと関連づけられて記録された予約領域駐車開始時刻が記録されている場合には、料金表３３ａを参照して予約料金を求め、求められた予約料金が加算された駐車料金を、ネットワークを介して携帯端末１０へ送信する。
【０２１０】
なお、本変型例でも、上述した第４実施形態と同様に、予約領域内の車室の阻止装置を配置しても良い。
【０２１１】
本発明では、上述した実施形態の駐車場管理システムは、本発明の趣旨を逸脱しない限り適宜変更が可能である。また、一の実施形態が有する構成要件は、他の実施形態にも適宜適用することができる。
【０２１２】
例えば、駐車場管理システムでは、利用者２が、携帯端末１０を用いて、現在までの駐車料金を確認できるようにしても良い。
【０２１３】
具体的には、携帯端末１０が、現在までの駐車料金の要求と、利用者ＩＤを、ネットワークを介して駐車場管理サーバ２０へ送信する。次に、駐車場管理サーバ２０は、受信した利用者ＩＤに基づいて在車表３２ａを検索し、利用者ＩＤと関連づけられて記録された入場時刻を読み取り、読み取られた入場時刻と、現在の時刻に基づいて求められた駐車時間とに基づいて、駐車料金表３３ａを参照して、現在までの駐車料金を求め、求められた現在までの駐車料金を、入場時刻と共に、ネットワークを介して携帯端末１０へ送信する。次に、携帯端末１０は、受信した入場時刻および駐車料金を表示部１４に表示する。
【符号の説明】
【０２１４】
１    駐車場管理システム
２    利用者
３    車両
１０    携帯端末
１１    演算部
１２    記憶部
１３    計時部
１４    表示部
１４ａ    利用開始時刻表示部
１４ｂ    駐車料金表示部
１４ｃ    予約料金表示部
１４ｄ    割引料金表示部
１４ｅ    利用料金表示部
１４ｆ、１４ｇ    決済手段選択ボタン
１４ｈ    決済実行ボタン
１５    操作部
１６    通信部
１７    位置検出部
２０    駐車場管理サーバ
２１    決済サーバ
３１    利用者ＤＢ
３１ａ    利用者登録表
３２    在車ＤＢ
３２ａ    在車表
３３    料金ＤＢ
３３ａ    駐車料金表
３３ｂ    予約料金表
３４    店舗支払いＤＢ
３４ａ    店舗支払い金額表
３５    割引ＤＢ
３５ａ    割引金額表
３６    地図ＤＢ
３７    予約ＤＢ
３７ａ    予約表
ＭＮ    移動体通信網
ＩＮ    インターネットネットワーク
４０    駐車場
４１    車両入口
４２    車両出口
４３    入場機
４３ａ    通信部
４４    入場ゲート
４５    入場車両番号認識装置
４６    出場機
４６ａ    通信部
４７    出場ゲート
４８    出場車両番号認識装置
４９ａ    位置情報送信機
４９ｂ    位置情報送信機
５０    店舗
５０ａ    店員
５１    割引認証機
５１ａ    通信部
５２    商品
Ｐ    現在位置
Ｇ    駐車位置情報に基づいた駐車場内の地点
６０    車室
６１    阻止装置
６１ａ    阻止板
６１ｂ    通信部
【図１】
2014137804.tif 000003
【図２】
2014137804.tif 000004
【図３】
2014137804.tif 000005
【図４】
2014137804.tif 000006
【図５】
2014137804.tif 000007
【図６】
2014137804.tif 000008
【図７】
2014137804.tif 000009
【図８】
2014137804.tif 000010
【図９】
2014137804.tif 000011
【図１０】
2014137804.tif 000012
【図１１】
2014137804.tif 000013
【図１２】
2014137804.tif 000014
【図１３】
2014137804.tif 000015
【図１４】
2014137804.tif 000016
【図１５】
2014137804.tif 000017
【図１６】
2014137804.tif 000018
【図１７】
2014137804.tif 000019
【図１８】
2014137804.tif 000020
【図１９】
2014137804.tif 000021
【図２０】
2014137804.tif 000022
【図２１】
2014137804.tif 000023
【図２２】
2014137804.tif 000024